(57)【要約】  使い捨て着用物品（２０Ａ）は、不透液性シャーシ（２１）、シャーシ（２１）の股下域（２８）と後胴周り域（２９）とに延びる体液吸収性第１パネル（２２）およびシャーシ（２１）の前胴周り域（２７）と股下域（２８）とに位置する体液吸収性第２パネル（２３）を含む。第２パネル（２３）は、前胴周り域（２７）に固着された前部（４９）、股下域（２８）の上方に位置する先端部（５０）およびシャーシ（２１）の両側部（３２）に固着された両側縁部（５１）を有する。先端部（５０）は、シャーシ（２１）から上方へ延び、それによって股下域（２８）から後胴周り域（２９）に向かって開口するポケット（５４）がシャーシ（２１）と第２パネル（２３）の先端部（５０）との間に形成されている。
2007528760.tif 000002
【特許請求の範囲】
【請求項１】
縦および横方向を有する使い捨て着用物品が：前胴周り域、後胴周り域、それらの間に位置する股下域、前記前後胴周り域を前記横方向に延びる前後端部および前記前後端部間を前記縦方向に延びる両側部を有する不透液性シャーシ；前部、後部および両側縁部を有し、シャーシの内面に配置された体液吸収性第１パネル；基端部、先端部および両側縁部を有し、シャーシの内面に配置された体液吸収性第２パネルを含み、
前記第１パネルが、前記シャーシの前記後胴周り域および前記股下域に延びており、前記第２パネルが、前記シャーシの前記前胴周り域および前記股下域に延びており、
前記第１パネルが、少なくとも前記前部および前記後部において前記シャーシに固定されており、
前記第２パネルが、少なくとも前記基端部が前記シャーシの前記前胴周り域の前記前端部に固定されており、前記先端部が前記シャーシの前記股下域に延びており、前記両側縁部が前記シャーシの前記両側部に沿って延びており、前記第２パネルの前記先端部が、前記基端部につながる領域において前記シャーシに対して所定の角度で上向きに折れ曲がって前記シャーシから離間し、前記シャーシと前記先端部との間に、前記股下域から前記後胴周り域に向かって開口するポケットが形成されていることを特徴とする前記物品。
【請求項２】
前記第１パネルの前記前部が、少なくとも前記股下域の略後半分に延び、前記第２パネルの前記先端部が、少なくとも前記股下域の略前半分に延び、前記第１パネルの前記前部が、前記第２パネルの前記先端部の下方に位置して前記ポケット内に延びている請求項１記載の着用物品。
【請求項３】
前記ポケットに、横方向へ延びるスペーサが配置され、前記スペーサが、前記シャーシの両側部および前記第２パネルの前記先端部の両側部の少なくとも一方に固定された両端と前記両端の間の中間部とを有し、前記先端部の両側部が、前記スペーサによって前記シャーシの前記横方向内方へ引き寄せられている請求項１記載の着用物品。
【請求項４】
前記スペーサが、横方向へ弾性的な伸縮性を有して前記ポケットに収縮可能に配置され、前記先端部の両側部が、前記スペーサの収縮力によって前記シャーシの横方向内方へ引き寄せられている請求項３記載の着用物品。
【請求項５】
前記着用物品が、さらに、各々前記シャーシの両側部に配置されて前記縦方向へ延びる一対の不透液性防漏シートを含み、前記防漏シートが、各々前記シャーシの前記両側部に沿って縦方向へ延びる基側部と、前記基側部に並行して縦方向へ延びていて前記シャーシの上方へ起立性向を有する先端部および前記前後端部に位置して前記シャーシの横方向へ倒伏した縦方向両端部を有し、前記第１および第２パネルが、前記防漏シートの先端部間に位置し、前記第２パネルの先端部の両側部分が、前記防漏シートの先端部に連結されている請求項１記載の着用物品。
【請求項６】
前記防漏シートの先端部が、各々縦方向へ延びる伸縮性弾性部材が収縮可能に取り付けられた先端縁を有し、前記第２パネルの先端部の前記両側部分が、前記先端縁の下方に連結され、前記先端部の中間部分の頂点が、前記先端縁の上方に位置している請求項５記載の着用物品。
【請求項７】
横方向へ所定寸法離間している一対の折曲案内部が、前記第２パネルの先端部における両側部と中央部との間に形成されている請求項１記載の着用物品。
【請求項８】
前記第２パネルの先端部の両側部分が、前記折曲案内部近傍において前記防漏シートの先端部に連結されている請求項７記載の着用物品。
【請求項９】
前記折曲案内部が、前記第２パネルの前記先端部から前記両側縁部に達している請求項７記載の着用物品。
【請求項１０】
前記折曲案内部における前記第２パネルの剛性が、前記折曲案内部を除く前記第２パネルの先端部のそれよりも低い請求項７記載の着用物品。
【請求項１１】
前記折曲案内部における前記第２パネルの剛性が、前記折曲案内部を除く前記第２パネルの先端部のそれよりも高い請求項７記載の着用物品。
【請求項１２】
前記第１パネルが、透液性第１シートと、前記第１シートの下方に位置する吸液性第１コアとから形成され、前記第２パネルが、透液性第２シートと、前記第２シートに包被された吸液性第２コアとから形成されている請求項１記載の着用物品。
【発明の詳細な説明】
【技術分野】
【０００１】
本発明は、排泄物を吸収、保持する使い捨て着用物品に関する。
【背景技術】
【０００２】
前胴周り域および後胴周り域とそれら胴周り域の間に位置する股下域とを有し、肌当接側に位置する透液性表面シートと、肌非当接側に位置する不透液性裏面シートと、表裏面シートの間に介在して前後胴周り域間に延びる吸液性コアとから構成され、コアが厚み方向へ重なる上層コアと下層コアとから形成された使い捨ておむつが既に提案されている。そのようなおむつは、特開１９９６−１９６５６５号公報（以下、引例とする）に開示されている。
【０００３】
上層コアは、前胴周り域から股下域に延びる前部コアと、股下域から後胴周り域に延びる後部コアとから形成されている。股下域に位置する前後部コアの対向端部どうしは、前後方向へ所定寸法離間している。前後部コアの対向端部の間には、表面シートに被覆された下層コアが露出している。上層コアの上面を被覆する表面シートは、前後部コアの対向端部において下層コアの側に向かって折曲され、上層コアと下層コアとの間に折り込まれている。この従来のおむつは、股下域において前後部コアと下層コアとの間に段差が形成され、前後部コアの対向端部と下層コアとからおむつの厚み方向へ凹む凹部が形成されている。
【０００４】
しかしながら、引例に開示のおむつでは、前後部コアの下面と下層コアの上面とが容易に当接し、前部コアと下層コアとの間に空間を形成することが難しく、後部コアと下層コアとの間に空間を形成することが難しい。排泄物が股下域に形成されたポケットに進入したとしても、排泄物を前部コアと下層コアとの間や後部コアと下層コアとの間に収容することができない。前後部コアと下層コアとの間にわずかな空間が形成されたとしても、空間に多量の排泄物を収容することができず、排泄物が前後部コアや下層コアの上面を広範囲に拡散してしまう場合がある。その結果、排泄物の尿と大便とが互いに混ざり合って、着用者の肌を汚してしまう場合がある。また、前後胴周り域において上層コアと下層コアとが互いに重なり合っているので、前後胴周り域におけるコアの厚み寸法が必要以上に増加する。そのような嵩張りによって、着用者が不快感を覚えることがある。
【発明の開示】
【０００５】
本発明の目的は、尿と混ざり合うことなく大便を収容可能なポケットを股下域に形成することができ、コアの嵩張りによって着用者が不快感を覚えることを防ぐことができる使い捨て着用物品を提供することにある。
【０００６】
本発明によれば、縦および横方向を有し、内面，前胴周り域、後胴周り域、それらの間に位置する股下域、前後胴周り域を横方向に延びる前後端部および前後端部間を縦方向に延びる両側部を有する不透液性シャーシ；前部、後部および両側縁部を有し、シャーシの内面に配置された体液吸収性第１パネル；基端部、先端部および両側縁部を有し、シャーシの内面に配置された体液吸収性第２パネルを含む改良された使い捨て着用物品が提供される。
【０００７】
その改良は、シャーシの後胴周り域および股下域に延びる第１パネル、シャーシの前胴周り域および股下域に延びる第２パネル、第１パネルが、少なくとも前部および後部においてシャーシに固定されていること、第２パネルが、少なくとも基端部がシャーシの前胴周り域の前端部に固定されていること、先端部がシャーシの股下域に延びており、両側縁部がシャーシの両側部に沿って延びていること、第２パネルの先端部が、基端部につながる領域においてシャーシに対して所定の角度で上向きに折れ曲がってシャーシから離間し、シャーシと先端部との間に、股下域から後胴周り域に向かって開口するポケットが形成されていることを含む。
【０００８】
本発明は、以下の好ましい実施態様を含む。
第１パネルの前部が、少なくとも股下域の略後半分に延び、第２パネルの先端部が、少なくとも股下域の略前半分に延び、第１パネルの前部が、第２パネルの先端部の下方に位置してポケット内に延びている。
ポケットに、横方向へ延びるスペーサが配置されている。スペーサは、シャーシの両側部および第２パネルの先端部の両側部の少なくとも一方に固定された両端と両端の間の中間部とを有する。この実施態様によれば、先端部の両側部が、スペーサによってシャーシの横方向内方へ引き寄せられている。
スペーサは、横方向へ弾性的な伸縮性を有してポケットに収縮可能に配置されている。スペーサは、シャーシの両側部および第２パネルの先端部の両側部の少なくとも一方に固定された両端と両端の間の中間部とを有する。この実施態様によれば、先端部の両側部が、スペーサの収縮力によってシャーシの横方向内方へ引き寄せられている。
着用物品が、さらに、各々シャーシの両側部に配置されて縦方向へ延びる一対の不透液性防漏シートを含む。防漏シートが、各々シャーシの両側部に沿って縦方向へ延びる基側部と、両側部の基側部に並行して縦方向へ延びていてシャーシの上方へ起立性向を有する先端部および前後端部に位置してシャーシの横方向へ倒伏した縦方向両端部を有する。この実施態様によれば、第１および第２パネルが、防漏シートの先端部間に位置し、第２パネルの先端部の両側部分が、防漏シートの先端部に連結されている。
防漏シートの先端部が、各々縦方向へ延びる伸縮性弾性部材が収縮可能に取り付けられた先端縁を有する。この実施態様によれば、第２パネルの先端部の両側部分が、防漏シートの先端縁の下方に連結され、先端部の中間部分の頂点が、先端縁の上方に位置している。
横方向へ所定寸法離間している一対の折曲案内部が、第２パネルの先端部における両側部と中央部との間に形成されている。
第２パネルの先端部の両側部分が、折曲案内部近傍において防漏シートの先端部に連結されている。
折曲案内部が、第２パネルの先端部から両側縁部に達している。
折曲案内部における第２パネルの剛性が、折曲案内部を除く第２パネルの先端部のそれよりも低い。
折曲案内部における第２パネルの剛性が、折曲案内部を除く第２パネルの先端部のそれよりも高い。
第１パネルが、透液性第１シートと、第１シートの下方に位置する吸液性第１コアとから形成され、第２パネルが、透液性第２シートと、第２シートに包被された吸液性第２コアとから形成されている。
【０００９】
本発明に係る使い捨て着用物品によれば、第２パネルの先端部がシャーシの上方へ向かって凸となり、シャーシと先端部との間に股下域から後胴周り域に向かって開口するポケットが形成される。このようにして、股下域や後胴周り域に排泄された大便が前胴周り域に向かって流動したとしても、大便をポケットに収容することができる。前胴周り域と股下域とに排泄された尿が第２パネルに吸収保持され、股下域と後胴周り域とに排泄された大便が第１パネルに吸収保持されるとともにポケットに収容される。このように、尿と大便とを分離することができ、尿と大便とが混ざり合うことによる着用者の肌の汚れを防ぐことができる。さらに、前後胴周り域において第１および第２パネルが重なり合うことがなく、それらパネルが嵩張ることがないので、着用者が不快感を覚えることがない。
【００１０】
第１パネルの前部が股下域の略後半分に位置し、第２パネルの後部が股下域の略前半分に位置するとともに、第１パネルの前部の先端部分が第２パネルの後部の下方に位置してポケット内に延びている本発明の態様では、ポケットが股下域の縦方向の中央付近から略前半分に形成され、前胴周り域および股下域に排泄された尿が第２パネルに吸収保持され、股下域および後胴周り域に排泄された大便が第１パネルに吸収保持されるとともにポケットに収容される。第２パネルの先端部が着用者の性器と肛門との間に位置するので、尿と大便とが確実に分離され、尿と大便とが混ざり合うことによる着用者の肌の汚れを確実に防ぐことができる。第１パネルの前部が、第２パネルの先端部の下方に位置してポケット内に延びている。そのような構成によって、ポケットにおいて尿や大便を第１パネルに吸収保持させることができ、それによって、尿がポケット内へ第２パネルを透過しても、尿と大便とが混ざり合うことを防ぐことができる。
【００１１】
横方向へ延びるスペーサがポケットに配置され、スペーサによって第２パネルの先端部の両側部分がシャーシの横方向内方へ引き寄せられた態様では、シャーシの上方へ凸となる先端部の形態がスペーサによって保持され、シャーシの上方へ延びる両側部分が不用意に倒伏することはない。このようにして、スペーサを利用してシャーシと第２パネルの先端部との間に形成されたポケットの形態を確実に保持することができる。ポケットは、その口を閉じ難く、大便を確実に収容することができる。
【００１２】
横方向へ弾性的な伸縮性を有して横方向へ延びるスペーサがポケットに収縮可能に配置され、スペーサの収縮力によって先端部の両側部分がシャーシの横方向内方へ引き寄せられた態様では、シャーシの上方へ凸となる先端部の形態がスペーサによって保持され、シャーシの上方へ延びる両側部分が不用意に倒伏することはない。このようにして、スペーサの収縮力を利用してシャーシと第２パネルの先端部との間に形成されたポケットの形態を確実に保持することができる。ポケットは、その口を閉じ難く、大便を確実に収容することができる。
【００１３】
物品が、シャーシの両側部に配置されて縦方向へ延びる一対の不透液性防漏シートを有し、第２パネルの先端部の両側部分が防漏シートの先端部に連結された態様では、シャーシの上方へ起立する防漏シートの先端部によって第２パネルの先端部がシャーシの上方へ持ち上げられるので、シャーシの上方へ凸となる先端部の形態が防漏シートの先端部によって保持され、シャーシの上方へ延びる先端部の両側部分が不用意に倒伏することはない。このようにして、防漏シートの先端部を利用してシャーシと第２パネルの先端部との間に形成されたポケットの形態を確実に保持することができる。ポケットは、その口が閉じ難く、大便を確実に収容することができる。
【００１４】
防漏シートの先端部が先端縁を有し、前記第２パネルの先端部の両側部分が防漏シートの先端縁の下方に連結され、先端部の中間部分の頂点が先端縁の上方に位置している態様では、第２パネルの先端部の上面を拡散する尿が先端部の両側部分に向かって流動したとしても、第２パネルの先端部の先端縁が尿に対する障壁を形成する。これらの障壁は、先端部の両側部分からの尿の横漏れを防ぐことができる。先端部の中間部分の頂点が先端縁の上方に位置しているから、中間部分の頂点が先端縁よりも先に着用者の股間部に当接する。したがって、先端縁が物品の横方向へ倒伏することはなく、先端縁が尿に対する障壁としての機能を失うことがない。
【００１５】
横方向へ所定寸法離間してほぼ縦方向に延びる一対の折曲案内部が第２パネルの先端部における両側部分と中央部分との間に形成された態様では、先端部がそれら折曲案内部を介して折れ曲がるので、折曲案内部の両側に位置する先端部の両側部分がシャーシの上方へ起立し易い。このように、シャーシと第２パネルの先端部との間にポケットを確実に形成することができる。
【００１６】
折曲案内部が第２パネルの先端部から両側縁部に達している態様では、第２パネルの先端部が、折曲案内部の両側に位置する両側部分と折曲案内部の間に位置する中間部分とに明確に区画される。このように、折曲案内部の両側に位置する両側部分がシャーシの上方へ起立し易い。それによって、折曲案内部の両側に位置する両側部分がシャーシの上方へ起立し易くなり、第２パネルの先端部がシャーシの上方へ容易に凸となる。このように、シャーシと第２パネルの先端部との間にポケットを確実に形成される。
【００１７】
折曲案内部における第２パネルの剛性が折曲案内部を除く第２パネルの先端部のそれよりも低い態様では、先端部が折曲案内部において確実に折れ曲がり、それによって、第２パネルの先端部がシャーシの上方へ容易に凸となる。このように、シャーシと第２パネルの先端部との間にポケットが確実に形成される。
【００１８】
折曲案内部における第２パネルの剛性が折曲案内部を除く第２パネルの先端部のそれよりも高い態様では、先端部が折曲案内部の両側において確実に折れ曲がり、それによって、第２パネルの先端部がシャーシの上方へ容易に凸となる。このように、シャーシと第２パネルの先端部との間にポケットが確実に形成される。
【００１９】
第１パネルが透液性第１シートと第１シートの下方に位置する吸液性第１コアとから形成され、第２パネルが透液性第２シートと第２シートに包被された吸液性第２コアとから形成された態様では、尿が第２コアに吸収保持され、大便が第１コアに吸収保持される。このように、尿や大便が第１および第２パネルから漏出することがない。
【発明を実施するための最良の形態】
【００２０】
添付の図面を参照し、本発明に係る使い捨て着用物品の詳細をオープン型の使い捨ておむつを例として説明すると、以下のとおりである。
【００２１】
図１は、一例として示す使い捨ておむつ２０Ａの斜視図である。図２は、第１および第２パネル２２，２３の側から示す図１のおむつ２０Ａの部分破断平面図である。図３は、図１の３−３線矢視断面図である。図４は、図１の４−４線矢視断面図である。図１，２では、横方向を矢印Ｌ、縦方向を矢印Ｍで示し、厚み方向を矢印Ｎ（図１のみ）で示す。図２は、おむつ２０Ａを弾性部材３３，６５の収縮力に抗して縦横方向へ展開させた状態で示している。
【００２２】
おむつ２０Ａは、不透液性シャーシ２１と、シャーシ２１の内側に配置されて縦方向へ前後に並ぶ第１および第２体液吸収性パネル２２，２３を含む。おむつ２０Ａは、シャーシ２１の内側に配置されて縦方向へ延びる一対の不透液性防漏シート２４を有する。
【００２３】
シャーシ２１は、肌当接側に位置する疎水性繊維不織布２５と肌非当接側に位置する通気不透液性プラスチックフィルム２６とをラミネートした複合シートから形成されており、不織布２５とフィルム２６とは、それらの対向面が固着されている。シャーシ２１は、縦方向に前胴周り域２７および後胴周り域２９と、それら胴周り域２７，２９の間に位置する股下域２８とを有する。シャーシ２１は、前後胴周り域２７，２９に位置して横方向へ延びる前後端部３０，３１と、前後胴周り域２７，２９間に縦方向へ延びる両側部３２とを有する。股下域２８では、おむつ１Ａがほぼ砂時計型を呈するように、両側部３２がシャーシ２１の横方向内方へ向かって弧を画いている。シャーシ２１には、股下域２８の両側部３２に位置して縦方向へ延びる複数条の脚周り用弾性部材３３が収縮可能に取り付けられている。脚周り用弾性部材３３は、不織布２５とフィルム２６との間に介在し、縦方向へ所定の倍率に伸長された状態で不織布２５とフィルム２６との対向面に固着されている。
【００２４】
第１パネル２２は、縦方向へ長い矩形を呈し、防漏シート２４の後記する先端部６３の間であってシャーシ２１の股下域２８と後胴周り域２９とに位置している。第１パネル２２は、肌当接側に位置する透液性シート３４（透液性第１シート）と、肌非当接側に位置する不透液性シート３５と、透液性シート３４と不透液性シート３５との間に介在してそれらシート３４，３５の内面に接合された吸液性コア３６（吸液性第１コア）とから構成されている。コア３６は、その上面全体が透液性シート３４に被覆され、その下面全体が不透液性シート３５に被覆されている。
【００２５】
第１パネル２２は、シャーシ２１の股下域２８に固着された前部３７と、シャーシ２１の後胴周りに固着された後部３８と、シャーシ２１の両側部３２に固着された両側縁部３９とを有する。前後部３７，３８は、その大部分がシート３４，３５とコア３６とから形成されている。両側縁部３９は、互いに重なり合うシート３４，３５から形成されている。前後部３７，３８と両側縁部３９とでは、不透液性シート３５がシャーシ２１に固着されている。前部３７は、後胴周り域２９の側から前胴周り域２７の側へ向かって延び、股下域２８の略後半分に延在している。後部３８は、シャーシ２１の後胴周り域２８の略前半分に延在している。
【００２６】
第１パネル２２では、コア３６の縦方向両端縁４０から縦方向外方へシート３４，３５の縦方向端部４１，４２が延び、コア３６の両側縁４３から横方向外方へシート３４，３５の両側部４４，４５が延びている。それらシート３４，３５の端部４１，４２が互いに重なり合って内面どうしが固着され、それらシート３４，３５の側部４４，４５が互いに重なり合って内面どうしが固着されている。
【００２７】
第２パネル２３は、縦方向へ長い矩形を呈し、防漏シート２４の先端部６３の間であってシャーシ２１の前胴周り域２７と股下域２８とに位置している。第２パネル２３は、肌当接側に位置する透液性シート４６（透液性第２シート）と、肌非当接側に位置する透液性シート４７（透液性第２シート）と、透液性シート４６，４７の間に介在してそれらシート４６，４７の内面に接合された吸液性コア４８（吸液性第１コア）とから構成されている。コア４８は、その上面全体が透液性シート４６に被覆され、その下面全体が透液性シート４７に被覆されている。
【００２８】
第２パネル２３は、シャーシ２１の前胴周り域２７固着された前部４９と、シャーシ２１の股下域２８に位置する先端部５０と、シャーシ２１の両側部３２に固着された両側縁部５１（両側縁部）とを有する。前後部４９，５０は、シート４６，４７とコア４８とから形成されている。両側縁部５１は、互いに重なり合うシート４６，４７から形成されている。前部４９と両側縁５１とでは、透液性シート４７の外面がシャーシ２１に固着されている。前部４９は、前胴周り域２７の側から後胴周り域２９の側へ向かって延び、股下域２８の略前半分に位置している。先端部５０は、シャーシ２１の前胴周り域２７の略前半分に位置し、シャーシ２１に固着されていない。
【００２９】
第２パネル２３の先端部５０は、シャーシ２１の両側部３２の側に位置する一対の両側部分５２と、両側部分５２の間に位置する中間部分５３とから形成されている。両側部分５２と中間部分５３とは、シート４６，４７とコア４８とから形成されている。両側部分５２と中間部分５３とは、シャーシ２１から上方へ延び、シャーシ２１の上方へ凸となるように弧を画いている。具体的には、先端部５０は、基端部につながる領域においてシャーシ２１に対して所定の角度、好ましくは５°〜６０°、より好ましくは１５°〜４５°の角度で上向きに折れ曲がってシャーシ２１から離間している。折曲領域は、エンボス処理によって形成される。先端部は、両側部分５２を、それらが互いに近づくように引き寄せることによって、および凸形の状態でシャーシ２１上に固定することによって、上方に凸となっていてもよい。股下域２８から後胴周り域２９に向かって開口するポケット５４が、シャーシ２１と第２パネル２３の先端部５０との間に形成されている。ポケット５４は、股下域２８の縦方向の中央付近から股下域２８の略前半分に延びている。第２パネル２３の先端部５０の下方には、第１パネル２２の前部３７の先端部分５５が、ポケット５４内に延びている。
【００３０】
第２パネル２３では、コア４８の縦方向両端縁５６から縦方向外方へシート４６，４７の縦方向両端部５７，５８が延び、コア４８の両側縁５９から横方向外方へシート４６，４７の両側部６０，６１が延びている。第２パネル２３では、それらシート４６，４７の端部５７，５８が互いに重なり合って内面どうしが固着され、それらシート４６，４７の側部６０，６１が互いに重なり合って内面どうしが固着されている。先端部５０では、シート４６，４７の端部５７，５８がコア４８の下面に向かって折り曲げられている。
【００３１】
防漏シート２４は、シャーシ２１の両側部３２に配置されており、縦方向へ延びる基側部６２と、固定側部６２に並行して縦方向へ延びていてシャーシ２１の上方へ起立性向を有する先端部６３と、前後端部３０，３１に位置してシャーシ２１の横方向内方へ倒伏した縦方向両端部６４とを含む。基側部６２と先端部６３とは、シャーシ２１の前後端部３０，３１間に延びている。先端部６３は、縦方向へ延びる伸縮性弾性部材６５が収縮可能に取り付けられた先端縁６６と、先端縁６６から基側部６２に延びる中央部分６７とを有する。弾性部材６５は、縦方向へ所定の倍率に伸長された状態で先端縁６６に固着されている。おむつ２０Ａがシャーシ２１の内面を内側にして縦方向へ湾曲して弾性部材６５が収縮すると、先端縁６６が縦方向へ縮み、先端部６３がシャーシ２１の上方へ起立して排泄物に対する障壁を形成する。
【００３２】
前端部３０では、防漏シート２４の端部６４内面がシャーシ２１に固着され、透液性シート４６，４７の端部５７，５８がシャーシ２１と防漏シート２４の端部６４との間に介在してそれら要素２１，２４の内外面に固着されている。後端部３１では、防漏シート２４の端部６４内面がシャーシ２１に固着され、透液性シート３４と不透液性シート３５との端部がシャーシ２１と防漏シート２４の端部６４との間に介在してそれら要素２１，２４の内外面に固着されている。両側部３２では、防漏シート２４の側部６２内面がシャーシ２１の内面に固着され、透液性シート３４，４６，４７と不透液性シート３５との側部４４，４５，６０，６１がシャーシ２１と防漏シート２４の側部６２との間に介在してそれら要素２１，２４の内外面に固着されている。
【００３３】
後胴周り域２９の両側部３２には、繊維不織布から形成された一対の可撓性テープファスナ６８が取り付けられている。テープファスナ６８は、横方向へ延びる基端部６９と先端部７０とを有する。基端部６９は、不織布２５とフィルム２６との間に介在し、それらの対向面に固着されている。先端部７０の内面には、フック部材７１が設けられている。先端部７０は、おむつ２０Ａの横方向内方へ折曲され、フック部材７１を介してシャーシ２１の不織布２５に仮止めされている。なお、先端部７０には、フック部材７１ではなく、感圧型接着剤が塗布されていてもよい。
【００３４】
前胴周り域２７には、テープファスナ６８の先端部７０を着脱可能に止着する可撓性のターゲットテープ７２が取り付けられている。ターゲットテープ７２は、横長矩形を呈し、繊維シャーシとシャーシから突出するループ部材（図示せず）とから形成されている。ターゲットテープ７２は、シャーシ２１の外面に固着されている。テープファスナ６８の先端部７０に感圧型接着剤を塗布する場合は、ターゲットテープ７２にプラスチックフィルムが使用される。
【００３５】
おむつ２０Ａを着用するには、後胴周り域２９の両側部３２を前胴周り域２７の両側部３２の外側に重ね合わせ、フック部材７１を介してテープファスナ６８の先端部７０をターゲットテープ７２に止着して前胴周り域２７と後胴周り域２９とを連結する。このようにして前後胴周り域２７，２９が連結されたおむつ２０Ａには、胴周り開口とその下方に一対の脚周り開口とが形成される（図示せず）。着用者の身につけられたおむつ２０Ａの前胴周り域２７と股下域２８の前半分とに排泄された尿は、第２パネル２３のコア４８に吸収保持され、股下域２８の後半分と後胴周り域２９とに排泄された大便の水分は、第１パネル２２のコア３６に吸収保持される。前胴周り域２７に向かって流動した大便は、ポケット５４に収容される。尿が速やかに吸収されるように、第２パネル２３の液吸収性および液拡散性が第１パネル２２よりも高いことが好ましい。
【００３６】
第２パネル２３の先端部５０がシャーシ２１の上方へ起立し、シャーシ２１と先端部５０との間に股下域２８から後胴周り域２９に向かって開口するポケット５４が形成されている。このように、股下域２８の後半分や後胴周り域２９に排泄された大便が前胴周り域２７に向かって流動したとしても、ポケット５４が大便を収容することができる。おむつ２０Ａは、背景技術のおむつと比較し、排泄された多量の大便を収容することができる。
【００３７】
おむつ２０Ａは、尿が第２パネル２３に吸収保持され、大便が第１パネル２２に吸収保持されるとともにポケット５４に収容される。このように、尿と大便とが分離され、尿と大便とが混ざり合うことによる着用者の肌の汚れを防ぐことができる。さらに、前後胴周り域２７，２９において第１および第２パネル２２，２３が、嵩張るように重なり合うことがなく、着用したおむつ２０Ａに対する違和感がない。
【００３８】
第２パネル２３の先端部５０が着用者の性器と肛門との間に位置するから、尿および大便が互いに分離され、尿と大便とが混ざり合うことによる着用者の肌の汚れを防ぐことができる。第１パネル２２の前部３７の先端部分５５が第２パネル２３の先端部５０の下方に延び、ポケット５４内に延びている。そのような構成によって、たとえ尿がポケット５４内へ第２パネルを透過したとしても、ポケット５４において尿や大便が第１パネル２２のコア３６に吸収保持されるので尿と大便とが混ざり合うことを防ぐことができる。
【００３９】
防漏シート２４の先端部６３が尿に対する障壁を形成するので、第１および第２パネル２２，２３の上面（透液性シート３４，４６の上面）を拡散する尿が両側縁部３９，５１に向かって流動したとしても、尿の流動が先端部６３によって阻止され、シャーシ２１の両側部からの尿の横漏れを防ぐことができる。
【００４０】
図５は、他の一例として示す使い捨ておむつ２０Ｂの斜視図であり、図６は、第１および第２パネル２２，２３の側から示す図５のおむつ２０Ｂの部分破断平面図である。図７は、図５の７−７線矢視断面図であり、図８は、図５の８−８線矢視断面図である。図５，６では、横方向を矢印Ｌ、縦方向を矢印Ｍで示し、厚み方向を矢印Ｎ（図５のみ）で示す。図６は、おむつ２０Ｂを弾性部材３３，６５，７４の収縮力に抗して縦横方向へ展開させた状態で示している。
【００４１】
このおむつ２０Ｂが図１のそれと異なるのはポケット５４に横方向へ延びるスペーサ７３が配置されている点であり、その他の構成は図１−４のおむつ２０Ａと同一であるので、図１−４のおむつ２０Ａと同一の符合を付してその他の構成の説明は省略する。
【００４２】
スペーサ７３は、横方向へ弾性的な伸縮性を有してポケット５４に収縮可能に配置されている。具体的には、スペーサ７３は、横方向へ延びる複数条の伸縮性弾性部材７４が収縮可能に取り付けられた透水性シート７５から形成されている。弾性部材７４は、横方向へ所定の倍率に伸長させた状態でシート７５に固着されている。スペーサ７３は、第２パネル２３の先端部５０の両側部分５２に固着された固定両端部７６と、それら端部７６の間に延びる中間部７７とを有する。第２パネル２３の先端部５０の両側部分５２は、スペーサ７３の収縮力によってシャーシ２１の横方向内方へ引き寄せられている。
【００４３】
スペーサ７３の固定両端部７６は、先端部５０の両側部分５２に固着されることなく、シャーシ２１と防漏シート２４との間に介在してシート３１の側部３２とシート２４の側部６２とに固着されていてもよい。スペーサ７３の両端部７６は、シャーシ２１と防漏シート２４との間に介在してシート２１の側部３２とシート２４の側部６２とに固着されるとともに、先端部５０の両側部分５２に固着されていてもよい。
【００４４】
発明の範囲を逸脱することなく、スペーサ７３に、弾性部材を省いた伸縮性の透水性シート、例えば、伸縮性かつ親水性繊維不織布を使用することもできる。また、スペーサ７３には、非伸縮性の透水性シート、例えば、非伸縮性かつ親水性繊維不織布のみを使用することもできる。スペーサ７３に非伸縮性の透水性シートを使用する場合は、先端部５０の両側部分５２がシャーシ２１の横方向内方へ引き寄せられるように、スペーサ７３の横寸法をコア４８の横寸法よりも小さくする。
【００４５】
スペーサ７３の収縮力下でシャーシ２１の横方向内方へ引き寄せられると、先端部５０の両側部分５２は、シャーシ２１から上方へ延び、シャーシ２１の上方へ凸となるように弧を画いている。その結果、第２パネル２３の先端部５０の中間部分５３は、両側部分５２の上方へ凸となるように弧を画いている。
【００４６】
おむつ２０Ｂでは、スペーサ７３の収縮力によって第２パネル２３の先端部５０の両側部分５２がシャーシ２１の横方向内方へ引き寄せられ、それによって先端部５０の形態が上向き凸形状に維持される。換言すれば、シャーシ２１の上方へ延びる両側部分５２が不用意に倒伏することがない。このように、シャーシ２１と第２パネル２３の先端部５０との間に形成されたポケット５４の形態が、スペーサ７３の収縮力の下に確実に保持される。おむつ２０Ｂは、ポケット５４が、その口を閉じ難く、大便を確実に収容することができる。おむつ２０Ｂの厚み方向へ着用者の体圧がかかり、第２パネル２３の先端部５０が潰れたとしても、体圧が解除されると、スペーサ７３の伸縮力によって先端部５０がシャーシ２１の上方へ凸となるように起立し、シャーシ２１と先端部５０との間に再びポケット５４が形成される。
【００４７】
スペーサ７３の収縮時における横寸法が第２パネル２３を形成するコア４８の両側縁５９間の横寸法Ｌ１に対して２０〜９３％の範囲、より好ましくは、５０〜８０％の範囲にある。
【００４８】
弾性部材７４を含むスペーサ７３の１００〜２５０％伸長時における横方向伸長応力が０．５〜１．５Ｎの範囲にある。スペーサ７３の伸長応力が０．５Ｎ未満であると、スペーサ７３の収縮力によって先端部５０の両側部分５２をシャーシ２１の横方向内方へ十分に引き寄せることができず、おむつ２０Ｂの厚み方向へわずかな体圧がかかっただけで第２パネル２３の先端部５０が容易に潰れ、ポケットがその口を閉じてしまう場合がある。スペーサの伸長応力が１．５Ｎを超過すると、股下域２８が横方向内方へ必要以上に縮み、シャーシ２１や第１パネル２２の前部３７、第２パネル２３の先端部５０に多数の不規則なギャザーが形成される。これらの不規則なギャザーは、ポケット５４の好ましい形態を保持することができないのみならず、股下域２８における第１および第２パネル２２，２３の体液吸収機能が低下する。その結果、股下域２８において尿や大便を十分に吸収することができない。スペーサ７３の伸長応力が前記範囲にあるおむつ２０Ｂは、シャーシ２１と第２パネル２３の先端部５０との間に形成されたポケット５４の形態を確実に保持することができ、股下域における第１および第２パネル２２，２３の体液吸収機能が低下することがない。スペーサ７３の伸長応力は、以下の方法で測定した。
（１）スペーサ７３（弾性部材７４を含む）をおむつ２０Ｂから分離し、スペーサ７３を裁断して縦寸法３０ｍｍ、横寸法１００ｍｍの伸長応力測定用サンプルを作成した。日本の島津製作所社製の引張り試験機を使用した。
（２）弾性部材の収縮によって縮んだ状態のサンプルの横方向両端部を引張り試験機のチャックで挟み（チャック間寸法：約３０ｍｍ）、１００ｍｍ／ｍｉｎの速度でサンプルを横方向へ引っ張り、サンプルを２６０％まで伸長させた後、伸長状態を解除した。再度、試験機を介して１００ｍｍ／ｍｉｎの速度でサンプルを横方向へ引っ張り、サンプルを１００〜２５０％の範囲で伸長させ、そのときの試験機にかかる力を測定し、その測定値をスペーサ７３の横方向伸長応力とした。このようにして測定したサンプルの横方向伸長応力は、０．５〜１．５Ｎであった。ここで、サンプルを２００％まで伸長させるとは、たとえば、サンプルの横寸法が３０ｍｍの場合、３０ｍｍに２．０を乗じた値である６０ｍｍまで伸ばすことをいう。
【００４９】
図９は、他の一例として示す使い捨ておむつ２０Ｃの斜視図であり、図１０は、第１および第２パネル２２，２３の側から示す図９のおむつ２０Ｃの部分破断平面図である。図１１は、図９の１１−１１線矢視断面図であり、図１２は、図９の１２−１２線矢視断面図である。図９，１０では、横方向を矢印Ｌ、縦方向を矢印Ｍで示し、厚み方向を矢印Ｎ（図９のみ）で示す。図１０は、おむつ２０Ｃを弾性部材３３，６５の収縮力に抗して縦横方向へ展開させた状態で示している。
【００５０】
おむつ２０Ｃは、さらに、シャーシ２１の内側に配置されて縦方向へ延びる一対の不透液性防漏シート２４を有する。このおむつ２０Ｃが図１のそれと異なるのは、第２パネル２３の先端部５０の両側部分５２が防漏シート２４の先端部６３に連結されている点であり、その他の構成は図１−４のおむつ２０Ａと同一であるので、図１−４のおむつ２０Ａと同一の符合を付してその他の構成の説明は省略する。
【００５１】
第２パネル２３の先端部５０の両側部分５２は、その一部が防漏シート２４の先端部６３の先端縁６６の側に位置する中央部分６７に連結されている。両側部分５２では、透液性シート４６の外面が接着剤７８を介して防漏シート２４に固着されている。先端縁６６は、先端部５０の両側部分５２の上方に延出している。先端部５０の中間部分５３の頂点７９は、先端縁６６の上方に位置している。防漏シート２４の先端部６３は、シャーシ２１の上方へ起立して排泄物に対する障壁を形成するとともに、それによって先端部６３の両側部分５２をシャーシ２１の上方へ持ち上げている。先端部５０の両側部分５２の全体が先端部６３の中央部分６７に連結されていてもよく、防漏シート２４の先端縁６６を含む先端部６３全体が先端部５０の両側部分５２に連結されていてもよい。
【００５２】
防漏シート２４の先端部６３によって持ち上げられた両側部分５２は、凸となるように弧を画くようにシャーシ２１の上方へ延びている。したがって、中間部分５３は、凸となるように弧を画くように両側部分５２の上方へ延びている。シャーシ２１と第２パネル２３の先端部５０との間には、股下域２８から後胴周り域２９に向かって開口するポケット５４が形成されている。ポケット５４は、股下域２８の縦方向の略中央から略前半分に延びている。第１パネル２２の前部３７の先端部分５５が第２パネル２３の先端部５０の下方に位置し、ポケット５４内に延びている。
【００５３】
防漏シート２４の先端部６３がシャーシ２１の上方へ起立すると、第２パネル２３の先端部５０がシャーシ２１の上方へ起立する。シャーシ２１の上方に延びる両側部分５２が不用意に倒伏することがないので、シャーシ２１の上方へ凸となる先端部５０の形態が、防漏シート２４の先端部６３によって確実に保持される。このように、防漏シート２４の先端部６３は、シャーシ２１と第２パネル２３の先端部５０との間に形成されたポケット５４の形態を確実に保持することができる。おむつ２０Ｃは、ポケット５４がその口を閉じ難く、大便を確実に収容することができる。
【００５４】
おむつ２０Ｃは、防漏シート２４の先端部６３が尿に対する障壁を形成するので、第１パネル２２の上面（透液性シート３４の上面）を拡散する尿が両側縁部３９に向かって流動したとしても、シャーシ２１の両側部からの尿の横漏れを防ぐことができる。
【００５５】
防漏シート２４の先端部６３の先端縁６６が、先端部５０の両側部分５２の上方に延び、それによって排泄物に対する障壁を形成する。第２パネル２３の先端部５０の上面（透液性シート４６の上面）を拡散する尿が両側部分５２に向かって流動したとしても、尿の流動が先端縁６６によって阻止され、それによって先端部５０の両側部分５２からの尿の横漏れを防ぐことができる。先端部５０の中間部分５３の頂点７９が先端縁６６の上方に位置しているので、先端部５０の中間部分５３の頂点７９が先端縁６６よりも先に着用者の股間部に当接する。その結果、先端縁６６がおむつ２０Ｃの横方向へ倒伏することがなく、先端縁６６が尿に対する障壁としての機能を失うことがない。
【００５６】
図１３は、他の一例として示す使い捨ておむつ２０Ｄの斜視図であり、図１４は、第１および第２パネル２２，２３の側から示す図１３のおむつ２０Ｄの部分破断平面図とであり、図１５は、図１３の１５−１５線矢視断面図であり、図１６は、図１３の１６−１６線矢視断面図である。図１３，１４では、横方向を矢印Ｌ、縦方向を矢印Ｍで示し、厚み方向を矢印Ｎ（図１３のみ）で示す。図１４は、おむつ２０Ｄを弾性部材３３，６５の収縮力に抗して縦横方向へ展開させた状態で示している。
【００５７】
おむつ２０Ｄが図１―４のおむつ２０Ａと異なるのは、第１および第２パネル２２，２３に折曲案内部８０，８３が形成されている点、ポケット５４に横方向へ延びるスペーサ７３が配置されている点、第２パネル２３の先端部５０の両側部分５２が防漏シート２４の先端部６３に連結されている点である。その他の構成は図１−４のおむつ２０Ａと同一であるので、図１−４のおむつ２０Ａと同一の符合を付してその他の構成の説明は省略する。
【００５８】
第１パネル２２の前部３７には、横方向へ所定寸法離間して縦方向へ延びる一対の折曲案内部８０が形成されている。具体的には、折曲案内部８０は、シャーシ２１の横方向内方へ弧を画き、前部３７から両縁側部３９に延びている。前部３７は、折曲案内部８０の両側に位置する両側部分８１と、折曲案内部８０の間に位置する中間部分８２とに区画されている。前部３７は、折曲案内部８０を介して折れ曲がっている。前部３７の両側部分８１と中間部分８２とは、シャーシ２１とともにおむつ２０Ｄの厚み方向下方へ向かって凸となるように弧を画いている。
【００５９】
第２パネル２３の先端部５０における両側部分５２と中間部分５３との間には、横方向へ所定寸法離間して縦方向に延びる一対の折曲案内部８３が形成されている。具体的には、これらの折曲案内部８３は、シャーシ２１の横方向内方へ弧を画き、先端部５０から両側縁部５１に延びている。先端部５０は、折曲案内部８３を介して折れ曲がっている。
【００６０】
それら折曲案内部８０，８３では、第１および第２パネル２２，２３を形成するコア３６，４８は、折曲案内部８０，８３を除く第１パネル２２の前部３７と第２パネル２３の先端部５０とのコア３６，４８よりも小さい密度や坪量、厚み寸法を有する。ゆえに、それら折曲案内部８０，８３における第１および第２パネル２２，２３の剛性は、折曲案内部８０，８３を除く第１パネル２２の前部３７（コア３６を含む）と第２パネル２３の先端部５０（コア４８を含む）とのそれよりも低い。それら折曲案内部８０，８３では、第１および第２パネル２２，２３を形成するコア３６，４８の密度や坪量、厚み寸法のうちの少なくとも密度と坪量とを折曲案内部８０，８３を除く第１パネル２２の前部３７と第２パネル２３の先端部５０とのコア３６，４８のそれらよりも小さくすることで、それら折曲案内部８０，８３における第１および第２パネル２２，２３の剛性を折曲案内部８０，８３を除く第１パネル２２の前部３７（コア３６を含む）と第２パネル２３の先端部５０（コア４８を含む）とのそれよりも低くすることができる。
【００６１】
それら折曲案内部８０，８３は、コア３６，４８が存在せず、すなわち折曲案内部８０がコア３６を除く透液性シート３４と不透液性シート３５のみから形成され、折曲案内部８３がコア４８を除く透液性シート４６，４７のみから形成されていてもよい。発明の範囲を逸脱することなく、第１および第２パネル２２，２３において、折曲案内部８０が前部３７から両側縁部３９に達することなく、前部３７を縦方向に延びていてもよく、折曲案内部８３が先端部５０から両側縁部５１に達することなく、先端部５０を縦方向に延びていてもよい。
【００６２】
スペーサ７３は、横方向へ弾性的な伸縮性を有してポケット５４に収縮可能に配置されている。具体的には、スペーサ７３は、縦方向に所定寸法離間して横方向へ延びる複数条の伸縮性弾性部材７４が収縮可能に取り付けられた透水性シート７５から形成されている。弾性部材７４は、横方向へ所定の倍率に伸長させた状態でシート７５に固着されている。スペーサ７３は、第２パネル２３の先端部５０の両側部分５２に固着された固定両端部７６と、固定両端部７６の間に延びる自由中間部７７とを有する。先端部５０の両側部分５２は、スペーサ７３の収縮力によってベースシート２１の横方向内方へ引き寄せられている。
【００６３】
第２パネル２３の先端部５０の両側部分５２は、防漏シート２４の先端部６３の先端縁６６の側に位置する中央部分６７に連結されている。両側部分５２では、透液性シート４６の外面が接着剤７８を介して防漏シート２４に固着されている。先端縁６６は、先端部５０の両側部分５２の上方に延びている。先端部５０の中間部分５３の頂点７９は、先端縁の上方に位置している。先端部６３は、シャーシ２１の上方へ起立して排泄物に対する障壁を形成し、それによって先端部５０の両側部分５２をシャーシ２１の上方へ持ち上げている。
【００６４】
先端部５０の両側部分５２は、折曲案内部８３を介して折れ曲がるとともに、スペーサ７３によってシャーシ２１の横方向内方へ引き寄せられ、防漏シート２４の先端部６３によってシャーシ２１の上方へ持ち上げられている。先端部５０では、両側部分５２がシャーシ２１の上方へ延び、中間部分５３が両側部分５２の上方へ凸となるように弧を画いている。シャーシ２１と第２パネル２３の先端部５０との間には、股下域２８から後胴周り域２９に向かって開口するポケット５４が形成されている。第２パネル２３の自由後部５０の下方で、第１パネル２２の前部３７の先端部分５５がポケット５４内に延びている。先端部分５５は、シャーシ２１とともにおむつ２０Ｄの厚み方向下方に凸となってポケット５４を形成している。
【００６５】
第１パネル２２の前部３７がシャーシ２１とともにおむつ２０Ｄの厚み方向下方へ凸となるとともに、第２パネル２３の先端部５０がシャーシ２１の上方へ向かって凸となり、シャーシ２１と先端部５０との間に股下域２８から後胴周り域２９に向かって開口するポケット５４が形成されている。そのような構成によって、股下域２８の後半分や後胴周り域２９に排泄された大便が前胴周り域２７に向かって流動したとしても、ポケットに収容することができる。第１パネル２２の固定前部３７がシャーシ２１とともにおむつ２０Ｄの厚み方向下方へ凸となるように弧を画いている。そのような構成によって、図１，５，９のおむつ２０Ａ，２０Ｂ，２０Ｃと比較し、ポケット５４のより大きな大便収容容積を確保することができる。このように、おむつ２０Ｄ上に排泄された多量の大便をポケット５４に確実に収容することができる。
【００６６】
折曲案内部８３が第２パネル２３の先端部５０から両側縁部５１に延び、先端部５０が折曲案内部８３を介して折れ曲がることで、第２パネル２３の先端部５０が折曲案内部８３の両側に位置する両側部分５２と折曲案内部８３の間に位置する中間部分５３とに明確に区画され、折曲案内部８３の両側に位置する両側部分５２がシャーシ２１の上方へ起立し易い。それによって、折曲案内部８３の両側に位置する両側部分５２がシャーシ２１の上方へ起立し易く、第２パネル２３の先端部５０がシャーシ２１の上方へ容易に凸となる。このように、シャーシ２１と第２パネル２３の先端部５０との間にポケット５４が確実に形成される。
【００６７】
ポケット５４に、横方向へ弾性的な伸縮性を有して収縮可能なスペーサ７３が配置されている。先端部５０の両側部分５２が、スペーサ７３の収縮力によってシャーシ２１の横方向内方へ引き寄せられ、先端部５０が上方へ凸の形状に維持される。換言すれば、シャーシ２１の上方へ起立している両側部分５２は、不用意に倒伏することがない。このように、シャーシ２１と第２パネル２３の先端部５０との間に形成されたポケット５４の形状は、スペーサ７３の収縮力によって確実に維持される。おむつ２０Ｄの厚み方向へ着用者の体圧がかかり、第２パネル２３の先端部５０が潰れたとしても、おむつ２０Ｄが体圧から解放されると、スペーサ７３の伸縮力によって先端部５０がシャーシ２１の上方へ凸となるように起立し、シャーシ２１と先端部５０との間に再びポケット５４が形成される。
【００６８】
シャーシ２１の上方へ起立している防漏シート２４の先端部６３が、シャーシ２４の上方へ起立するように第２パネル２１の先端部５０を持ち上げ、先端部５０は、防漏シート２４の先端部６３によって上方へ凸の形状に維持され、シャーシ２１の上方へ延びている先端部５０の両側部分５２が不用意に倒伏することが防止される。その結果、防漏シート２４の先端部６３が、シャーシ２１と先端部５０との間に形成されたポケット５４を好ましい形態に維持することができる。
【００６９】
おむつ２０Ｄにおいてもまた、防漏シート２４の先端部６３によって形成された尿に対する障壁が、第１パネル２２の上面（透液性シート３４の上面）を拡散する尿が両側縁部３９に向かって流動したとしても、シャーシ２１の両側部からの尿の横漏れを防ぐことができる。
【００７０】
おむつ２０Ｄにおいてもまた、防漏シート２４の先端部６３の先端縁が、先端部５０の両側部分５２の上方に延び、尿に対する障壁を形成する。先端部５０の上面（透液性シート４６の上面）を拡散する尿が両側部分５２に向かって流動したとしても、先端縁６６が、先端部５０の両側部分５２からの尿の横漏れを防ぐことができる。先端部５０の中間部分５３の頂点７９が先端縁６６の上方に位置している。そのような独自の構成によって、中間部分の頂点７９が先端縁６６よりも先に着用者の股間部に当接する。その結果、先端縁６６がおむつ２０Ｄの横方向へ倒伏することがなく、先端縁６６が尿に対する障壁としての機能を失うことがない。
【００７１】
先端部５０の両側部分５２をシャーシ２１の横方向内方へ引き寄せるスペーサ７３は、先端部５０の両側部分５２を起立させる防漏シート２４の先端部６３とともに、ポケット５４が、その閉じ難く、大便を確実に収容することを確実にする。
【００７２】
折曲案内部８３を含む第２パネル２３の先端部５０（コア４８を含む）の横方向の剛性値が０．５〜１．５ｍＮの範囲にあり、折曲案内部８３を除く第２パネル２３の先端部５０（コア４８を含む）の剛性値が１．０〜２．０ｍＮの範囲にある。折曲案内部８３を含む先端部５０の剛性値が１．５ｍＮを超過すると、先端部５０が折曲案内部８３において折れ曲がり難く、両側部分５２がシャーシ２１の上方へ起立し難くなる。折曲案内部８３を除く第２パネル２３の先端部５０の剛性値が１．０ｍＮ未満では、スペーサ７３の収縮力によって先端部５０が折曲案内部８３を介してシャーシ２１の横方向内方へ必要以上に縮む。その結果、ポケット５４の形態を保持することができないのみならず、股下域２８における第１および第２パネル２２，２３の体液吸収機能が低下し、股下域２８において尿を十分に吸収することができない。折曲案内部を除く第２パネル２３の自由後部５０の剛性値が２．０ｍＮを超過すると、第２パネルの柔軟性が低下し、着用者の股間部に当接する第２パネル２３が着用者に不快な刺激を与える場合がある。これらの剛性値は、ガーレ法（ＪＩＳ Ｌ １０９６−０１−８.２０.１）に準拠して以下のように測定した。
（１）おむつ２０Ｄから第２パネル２３を分離し、第２パネルを裁断して縦寸法２５ｍｍ、横寸法３０ｍｍの剛性値測定用サンプルを作成した。サンプルは、折曲案内部８３を含む第１サンプルと、折曲案内部８３を除く第２サンプル（コア４８を含む）とを用意した。曲げ剛性の測定には、ガーレ柔軟度試験機を使用した。
（２）第１サンプルの縦方向一端部を試験機のチャックに挟み、第１サンプルの縦方向他端部を試験機の振り子にかけ、試験機の目盛りが３〜６の間になるように補助重りを取り付けた。試験機のスイッチを入れ、第１サンプルから振り子の回転ロッドが離れる瞬間の目盛りを読み、第１剛性値を測定した。次に、第１サンプルの縦方向他端部を試験機のチャックに挟み、第１サンプルの縦方向一端部を試験機の振り子にかけ、試験機の目盛りが３〜６の間になるように補助重りを取り付けた。次に、試験機のスイッチを入れ、第１サンプルから振り子の回転ロッドが離れる瞬間の目盛りを読み、第２剛性値を測定した。測定した第１および第２剛性値の平均を第１サンプルの曲げ剛性値とし、第１サンプルの曲げ剛性値を折曲案内部８３を含む第２パネル２３の先端部５０の剛性値とした。第１サンプルの曲げ剛性値は０．５〜１．５ｍＮであった。
（３）第２サンプルの縦方向一端部を試験機のチャックに挟み、第２サンプルの縦方向他端部を試験機の振り子にかけ、試験機の目盛りが３〜６の間になるように補助重りを取り付けた。試験機のスイッチを入れ、第２サンプルから振り子の回転ロッドが離れる瞬間の目盛りを読み、第３剛性値を測定した。次に、第２サンプルの縦方向他端部を試験機のチャックに挟み、第２サンプルの縦方向一端部を試験機の振り子にかけ、試験機の目盛りが３〜６の間になるように補助重りを取り付けた。次に、試験機のスイッチを入れ、第２サンプルから振り子の回転ロッドが離れる瞬間の目盛りを読み、第４剛性値を測定した。測定した第３および第４剛性値の平均を第２サンプルの曲げ剛性値とし、第２サンプルの曲げ剛性値を折曲案内部８３を除く第２パネル２３の先端部５０（コア４８を含む）の剛性値とした。第２サンプルの曲げ剛性値は１．０〜２．０ｍＮであった。
【００７３】
このおむつ２０Ｄは、折曲案内部８０，８３における第１および第２パネル２２，２３の剛性が折曲案内部８０，８３を除く第１パネル２２の固定前部３７と第２パネル２３の先端部５０とのそれより高くてもよい。それら折曲案内部８０，８３における剛性を折曲案内部８０，８３を除く前部３７と先端部５０とのそれより高くする一例は、折曲案内部８０，８３において第１および第２パネル２２，２３が厚み方向に圧縮され、折曲案内部８０，８３におけるコア３６，４８の密度および／または坪量が大きくされればよい。この場合は、固定前部３７が折曲案内部８０の両側で折れ曲がって両側部分８１と中間部分８２とに区画され、先端部５０が折曲案内部８３の両側で折れ曲がる。
【００７４】
おむつ２０Ａ，２０Ｂ，２０Ｃ，２０Ｄは、第２パネル２３の前部４９がシャーシ２１の前胴周り域２７に固着されているが、前部４９がシャーシ２１の前端部３０のみに固着されていてもよい。図９，１３に示すおむつ２０Ｃ，２０Ｄは、第２パネル２３の両側縁部５１がシャーシ２１の両側部３２に固着されているが、先端部分付近の両側縁部５１のみがシャーシ２１の両側部３２に固着されていればよく、両側縁部５１の全体がシャーシ２１の両側部３２に固着されていなくてもよい。
【００７５】
それらおむつ２０Ａ，２０Ｂ，２０Ｃ，２０Ｄは、それらの縦寸法を二分する横中心線で前半分と後半分とに分けられるとともに、前半分がさらに横分割線で横中心線寄りに位置する中央部分と横中心線から離れた端部分とに分けられたときに、先端部５０がおむつ２０Ａ，２０Ｂ，２０Ｃ，２０Ｄの中央部分の範囲に位置していればよい。
【００７６】
透液性シート３４，４６，４７には、親水性繊維不織布、多数の開孔を有する疎水性繊維不織布、微細な多数の開孔を有するプラスチックフィルムのいずれかを使用することができる。防漏シート２４や不透液性シート３５には、疎水性繊維不織布、通気不透液性プラスチックフィルム、２枚以上の疎水性繊維不織布をラミネートした複合不織布、疎水性繊維不織布と通気不透液性プラスチックフィルムとをラミネートした複合シートのいずれかを使用することができる。シャーシ２１や防漏シート２４、不透液性シート３５には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。
【００７７】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系繊維を使用することができる。構成繊維には、芯鞘型複合繊維、並列型複合繊維、異型中空繊維、微多孔繊維、接合型複合繊維を使用することもできる。
【００７８】
透水性シートを形成する伸縮性かつ親水性繊維不織布には、メルトブローンやスパンボンドの各製法により製造されたものを使用することができる。伸縮性繊維不織布の構成繊維には、熱可塑性エラストマー樹脂を溶融、紡糸した伸縮性繊維を使用することができる。透水性シートには、熱可塑性エラストマー樹脂繊維からなる親水性かつ伸縮性繊維不織布の少なくとも片面に、ポリプロピレン、ポリエチレン、ポリエステルのいずれかの熱可塑性合成樹脂を溶融、紡糸した捲縮繊維からなる親水性繊維不織布を重ね合わせた複合不織布を使用することもできる。
【００７９】
コア３６，４８は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚み寸法に圧縮されている。ゆえに、コア３６，４８は、その剛性がシート２１，２４，３４，３５，４６，４７の剛性よりも高い。コア３６，４８は、それの型崩れを防止するため、全体がティッシュペーパーや親水性繊維不織布等の透液性シート（図示せず）に包被されている。
【００８０】
シャーシ２１に対するシート３５，４７の固着、シート３４，３５，４６，４７どうしの固着、シート３４，３５，４６，４７に対するコア３６，４８の接合、シャーシ２１，シート２４に対する弾性部材３３，６５の固着には、接着剤、または、ヒートシールやソニックシール等の熱による溶着手段を利用することができる。接着剤には、ホットメルト型接着剤やアクリル系接着剤、ゴム系接着剤を使用することができる。
【００８１】
接着剤は、シャーシ２１や防漏シート２４、透液性シート３４，４６，４７、不透液性シート３５にスパイラル状や波状、ジグザグ状、ドット状、縞状のうちのいずれかの態様で塗布されていることが好ましい。接着剤をそれらの態様でシート２１，２４，３４，３５，４６，４７に塗布すると、それらシャーシ２１，シート２４，３４，３５，４６，４７に接着剤が塗布された塗布域と接着剤が塗布されていない非塗布域とが形成され、それらシャーシ２１，シート２４，３４，３５，４６，４７どうしが断続的に固着され、コア３６，４８がシート３４，３５，４６，４７に断続的に接合されるとともに、弾性部材３３，６５がシャーシ２１，シート２４に断続的に固着される。
【図面の簡単な説明】
【００８２】
【図１】一例として示す使い捨ておむつの斜視図。
【図２】パネルの側から示す図１のおむつの部分破断平面図。
【図３】図１の３−３線矢視断面図。
【図４】図１の４−４線矢視断面図。
【図５】他の一例として示す使い捨ておむつの斜視図。
【図６】パネルの側から示す図５のおむつの部分破断平面図。
【図７】図５の７−７線矢視断面図。
【図８】図５の８−８線矢視断面図。
【図９】他の一例として示す使い捨ておむつの斜視図。
【図１０】パネルの側から示す図９のおむつの部分破断平面図。
【図１１】図９の１１−１１線矢視断面図。
【図１２】図９の１２−１２線矢視断面図。
【図１３】他の一例として示す使い捨ておむつの斜視図。
【図１４】パネルの側から示す図１３のおむつの部分破断平面図。
【図１５】図１３の１５−１５線矢視断面図。
【図１６】図１３の１６−１６線矢視断面図。
【図１】
2007528760.tif 000003
【図２】
2007528760.tif 000004
【図３】
2007528760.tif 000005
【図４】
2007528760.tif 000006
【図５】
2007528760.tif 000007
【図６】
2007528760.tif 000008
【図７】
2007528760.tif 000009
【図８】
2007528760.tif 000010
【図９】
2007528760.tif 000011
【図１０】
2007528760.tif 000012
【図１１】
2007528760.tif 000013
【図１２】
2007528760.tif 000014
【図１３】
2007528760.tif 000015
【図１４】
2007528760.tif 000016
【図１５】
2007528760.tif 000017
【図１６】
2007528760.tif 000018
【国際調査報告】
2007528760.tif 000019